(57)【要約】      （修正有）【課題】かしめ部分が手の指など身体に当って不快感を与えたり、傷を付けたりすることを防止し、作業性の向上を図れるはとめを提供する。【解決手段】はとめの座体１は全体として中心孔３を有する環状体で、中心孔３には、はとめ本体２が嵌合する方向で後方へ延び、かつ縮径するテーパ状の端縁部４を形成し、その基端からはとめ本体２に対向する方向へ突出する小径の円弧状小突起５の頂部に剣先状の刺片９を複数突設する。そして、受型上に座体１を載置し、これに布帛を挟んで、押型によりはとめ本体２を圧着する。はとめ本体２の先端部１０が布帛を打抜き、突縁１１が受型の斜面に沿って拡開され、小突起５の内側へ巻き込まれ、刺片９が布帛に食い込み、布帛の抜けを強力に阻止する。【選択図】図１
0003202240.tif 000002
【実用新案登録請求の範囲】
【請求項１】
眼孔片状の座体と、該座体に嵌合止着されるはとめ本体とからなるはとめにおいて、
前記はとめ本体が嵌合する方向で後方へ延びる部位と、前記はとめ本体が嵌合する方向で前方へ延びかつ縮径する部位とからなり、テーパ状をなしかつ中空環状で前記座体の中心孔を備える端縁部を設け、
前記はとめ本体が嵌合する方向で後方へ延びる部位には、前記はとめ本体に対向する方向へ突出する小径の円弧状の小突起を設け、
前記はとめ本体が嵌合する方向で後方へ延びる部位の外周側には、前記小突起と反対方向へ延びかつ前記端縁部の先端より突出する頂部を有する円弧状の膨隆部を設け、
前記円弧状の小突起の頂部には、該頂部の全周上に亘って複数の剣先状の刺片を設け、
前記はとめ本体には、前記座体の端縁部の前記中心孔の内周面に摺接させる中空円筒状の突縁を設け、該突縁に尖鋭な先端部を設け、
該突縁の外周側をなす基部に、前記はとめ本体が嵌合する方向で後方へ延びかつ小突起が入り込める湾曲部位を設け、
てなることを特徴とするはとめ。
【請求項２】
眼孔片状の座体と、該座体に嵌合止着されるはとめ本体とからなり、布帛等の止着対象物を挟んで嵌合止着するはとめであって、
前記はとめ本体が嵌合する方向で後方へ延びる部位と、前記はとめ本体が嵌合する方向で前方へ延びかつ縮径する部位とからなり、テーパ状をなしかつ中空環状で前記座体１の中心孔を備える端縁部を設け、
前記はとめ本体が嵌合する方向で後方へ延びる部位には、前記はとめ本体に対向する方向へ突出する小径の円弧状の小突起を設け、
前記はとめ本体が嵌合する方向で後方へ延びる部位の外周側には、前記小突起と反対方向へ延びかつ前記端縁部の先端より突出する頂部を有する円弧状の膨隆部を設け、
前記はとめ本体には、前記座体の端縁部の前記中心孔の内周面に摺接させる中空円筒状の突縁を設け、
該突縁に、前記座体の端縁部の先端に摺接する尖鋭で前記布帛等の止着対象物を前記座体の前記先端との間で挟んで打抜き可能な先端部を設け、
該突縁の外周側をなす基部に、前記はとめ本体が嵌合する方向で後方へ延びかつ小突起が入り込める湾曲部位を設け、
てなることを特徴とするはとめ。
【考案の詳細な説明】
【技術分野】
【０００１】
本考案は、カバー用キャンバス、袋物等においてロープや鎖錠部材を挿通するために用いる外、服飾品にアクセントとして止着する用途をも有するはとめに関する。
【背景技術】
【０００２】
従来、はとめは貨物自動車の幌、テントなど一般に器物の付属品としての用途に使用されて来ており、その構造としては図７に示すように、中心孔ａを有する環状の座体ｂと、中空円筒状の刺片ｃを突設したはとめ本体ｄとから成り、布帛ｅにあけた孔ｆを介して図８に示すように座体ｂの中心孔ａにはとめ本体ｄの刺片ｃを挿通し、この刺片ｃの先端部をかしめて拡開し、これによって座体ｂにはとめ本体ｄを嵌合止着していた。
【０００３】
ところで近年、このようなはとめを服飾品や袋物などにアクセントとして使用することが一般化されている。そのため、はとめ本体ｄのかしめ部分が手の指など身体に当って不快感を与えたり、触れ方によっては傷を付けたりすることが問題となっている。
【考案の開示】
【考案が解決しようとする課題】
【０００４】
本考案は、上述の問題点を解決するとともに、布帛などへの装着の作業性の向上を図れるはとめを提供することを目的とする。
【課題を解決するための手段】
【０００５】
本考案に係るはとめは、眼孔片状の座体と、該座体に嵌合止着されるはとめ本体とからなるはとめにおいて、前記はとめ本体が嵌合する方向で後方へ延びる部位と、前記はとめ本体が嵌合する方向で前方へ延びかつ縮径する部位とからなり、テーパ状をなしかつ中空環状で前記座体の中心孔を備える端縁部を設け、前記はとめ本体が嵌合する方向で後方へ延びる部位には、前記はとめ本体に対向する方向へ突出する小径の円弧状の小突起を設け、前記はとめ本体が嵌合する方向で後方へ延びる部位の外周側には、前記小突起と反対方向へ延びかつ前記端縁部の先端より突出する頂部を有する円弧状の膨隆部を設け、前記円弧状の小突起の頂部には、該頂部の全周上に亘って複数の剣先状の刺片を設け、前記はとめ本体には、前記座体の端縁部の前記中心孔の内周面に摺接させる中空円筒状の突縁を設け、該突縁に尖鋭な先端部を設け、該突縁の外周側をなす基部に、前記はとめ本体が嵌合する方向で後方へ延びかつ小突起が入り込める湾曲部位を設けてなることを特徴とする。
【０００６】
また本考案に係るはとめは、眼孔片状の座体と、該座体に嵌合止着されるはとめ本体とからなり、布帛等の止着対象物を挟んで嵌合止着するはとめであって、前記はとめ本体が嵌合する方向で後方へ延びる部位と、前記はとめ本体が嵌合する方向で前方へ延びかつ縮径する部位とからなり、テーパ状をなしかつ中空環状で前記座体１の中心孔を備える端縁部を設け、前記はとめ本体が嵌合する方向で後方へ延びる部位には、前記はとめ本体に対向する方向へ突出する小径の円弧状の小突起を設け、前記はとめ本体が嵌合する方向で後方へ延びる部位の外周側には、前記小突起と反対方向へ延びかつ前記端縁部の先端より突出する頂部を有する円弧状の膨隆部を設け、前記はとめ本体には、前記座体の端縁部の前記中心孔の内周面に摺接させる中空円筒状の突縁を設け、該突縁に、前記座体の端縁部の先端に摺接する尖鋭で前記布帛等の止着対象物を前記座体の前記先端との間で挟んで打抜き可能な先端部を設け、該突縁の外周側をなす基部に、前記はとめ本体が嵌合する方向で後方へ延びかつ小突起が入り込める湾曲部位を設けてなることを特徴とする。
【考案の効果】
【０００７】
本考案に係るはとめによれば、従来のこの種はとめのように布帛等へあらかじめ孔をあける必要がなく、直接布帛等に孔をあけながら装着が可能であるから作業性が向上する。また、取り付け強度が高く、ずれなどのおそれがなく、他物に危害を与えることもなく、止着対象物が薄物でも厚物でも同様に装着でき、汎用性が高い等の効果がある。
【図面の簡単な説明】
【０００８】
【図１】第１の実施形態に係るはとめを構成する座体とはとめ本体とを分離しかつそれぞれ半部を断面で示す側面図である。
【図２】座体とはとめ本体との嵌合止着の状態を順をおって示す断面図である。
【図３】座体とはとめ本体との嵌合止着の状態を順をおって示す断面図である。
【図４】第２の実施形態に係るはとめを構成する座体とはとめ本体とを分離しかつそれぞれ半部を断面で示す側面図である。
【図５】座体とはとめ本体との嵌合止着の状態を順をおって示す断面図である。
【図６】座体とはとめ本体との嵌合止着の状態を順をおって示す断面図である。
【図７】従来のこの種はとめの使用態様を示す説明図である。
【図８】従来のこの種はとめの使用態様を示す説明図
【考案を実施するための形態】
【０００９】
以下、本考案の実施の形態を図面を参照して説明する。
【００１０】
＜実施形態１＞
図１は、本考案の第１の実施形態に係るはとめの座体１と、これに嵌合止着されるはとめ本体２とを、分離して示す図である。座体１は全体として中心孔３を有する眼孔片状の環状体として構成され、はとめ本体２が嵌合する方向で後方へ延びる部位と、はとめ本体２が嵌合する方向で前方へ延びかつ縮径する部位とからなり、テーパ状をなしかつ中空環状で座体１の中心孔３を備える端縁部４を設けてある。また、この端縁部４の基端からはとめ本体２に対向する方向へ突出する小径の円弧状小突起５と、これと反対方向へ延び、かつ端縁部４の先端６より突出する頂部７を有する円弧状の膨隆部８とを形成し、さらに円弧状突起５の頂部には、全周状の数個所（６個所ないし８個所）に、突き破りにより剣先状の刺片９を突設してある。
【００１１】
一方、はとめ本体２には、座体１の中心孔３の内周面に摺接させる尖鋭な先端部１０を有する中空円筒状の突縁１１を、そのはとめ本体２の円盤状の基部１２から突設させて設けてある。また、突縁１１の外周側をなす基部１２に、はとめ本体２が嵌合する方向で後方へ延びかつ小突起５が入り込める湾曲部位１２ａを設けてある。
【００１２】
上述の構成の座体１とはとめ本体２とを、止着対象物、例えば布帛を挟んで嵌合止着する態様を図２、図３を参照して説明する。先ず図２においては、１３が止着対象物としての布帛、１４は受型、１５が押型で、受型１４上に座体１を載置し（図の簡略化のため一部断面のみで示してあるが、もちろん座体１の全周にわたって同様な断面を有している）、これに布帛１３を挟んで、押型１５によりはとめ本体２を圧着する。その結果、はとめ本体２の先端部１０が、座体１の先端６との間で布帛１３を打抜き、次いで、はとめ本体２の円筒状の突縁１１が受型１４の斜面１６に沿って拡開され、端縁部４の先端６を越え、円弧状の小突起５の内側へ巻き込まれて、図３に示す状態になり、はとめ本体２に座体１が嵌合止着される。この際、刺片９が布帛１３に食い込むので、布帛１３の抜けが強力に阻止される。
【００１３】
＜実施形態２＞
図４は本考案の第２の実施形態に係るはとめの座体１と、これに嵌合止着されるはとめ本体２とを分離して示す図である。基本的な構造は第１の実施形態と同様であるが、座体１は刺片９を有していない。
【００１４】
はとめ本体２には座体１の端縁部４の先端６に摺接させる尖鋭な先端部１０を有する中空円筒状の突縁１１をそのはとめ本体２の円盤状の基部１２から突設させて設けてある。
【００１５】
上述の構成の座体１とはとめ本体２とを止着対象物、例えば布帛を挟んで嵌合止着する態様を、図５、図６を参照して説明する。図５において、１３が止着対象物としての布帛、１４は受型、１５が押型であって、受型１４上に座体１を載置し、これに布帛１３を挟んで押型１５によりはとめ本体２を圧着する。その結果、はとめ本体２の先端部１０が座体１の先端６との間で布帛１３を打抜き、次いではとめ本体２の円筒状の突縁１１が受型１４の斜面１６に沿って拡開され、端縁部４の先端６を越え、円弧状の小突起５の内側へ巻き込まれて図６のようになり、はとめ本体２に座体１が嵌合止着される。
【００１６】
この状態では、はとめ本体２との間で小突起５が布帛１３を挟みつけるので取り付け強度が高く、ずれなどのおそれがない。また、はとめ本体２のくるみ部分（円筒状の突縁１１の先端部１０）が内方へ引き込まれているので、他物に危害を与えることがない。なお本考案に係るはとめは、止着対象物が薄物であっても厚物であっても同様に装着できるので汎用性がある。
【符号の説明】
【００１７】
１：座体
２：はとめ本体
３：中心孔
４：端縁部
５：円弧状小突起
６：先端
７：頂部
８：膨隆部
９：刺片
１０：先端部
１１：突縁
１２：基部
１２ａ：湾曲部位
１３：止着対象物としての布帛
１４：受型
１５：押型
１６：受型の斜面
【図１】
0003202240.tif 000003
【図２】
0003202240.tif 000004
【図３】
0003202240.tif 000005
【図４】
0003202240.tif 000006
【図５】
0003202240.tif 000007
【図６】
0003202240.tif 000008
【図７】
0003202240.tif 000009
【図８】
0003202240.tif 000010